(57)【要約】      （修正有）【課題】移動の妨げになり難く、かつ二本のロープを収容しても絡まらないロープバッグを提供する。【解決手段】第１、第２の肩掛けベルト３１と３２、４１と４２を備えた背負い式のロープバッグ１のバッグ本体２の内部を２つの区画に分離し、２つのロープ収納部とする。バッグ本体２の底面側に２つの区画から個別にロープ５０、６０を出し入れできる２つの巾着型の口部９、１０を設ける。口部９、１０はロープに対する低摩擦素材で形成する。バッグ本体２の下端部の背当て面２７の側に、口部９、１０を個別に開閉自在に覆う片開き式のカバー部１７、１８の一端縁側を装着する。カバー部１７、１８の自由端縁側とバッグ本体２の外面には、口部９、１０を閉じた状態でバッグ本体２の外面に着脱自在に留めるための留め具を装備する。カバー部１７、１８は、ロープ５０、６０との摺接面を滑り易い低摩擦面に形成する。【選択図】図２
0003197291.tif 000002
【実用新案登録請求の範囲】
【請求項１】
内部に横に２区画に分離した２つのロープ収納部を有する背負いベルト付きのバッグ本体と、
バッグ本体の底面側に設けられて前記２つの区画の各々から個別にロープを出し入れ可能な２つの口部と、
２つの口部を開閉自在に個別または一緒に覆うカバー部と、
口部を閉じた状態のカバー部をバッグ本体に留めたり外したりする留め具と、
を備えたことを特徴とするロープバッグ。
【請求項２】
背負いベルト付きのバッグ本体と、
バッグ本体の内部を全体が１区画の１つのロープ収納部の状態と、横に２区画に分離した２つのロープ収納部の状態とに変更可能とする区画変更部と、
バッグ本体の底面側に設けられて前記２区画の状態のときの各区画から個別にロープを出し入れ可能な２つの口部と、
２つの口部を開閉自在に個別または一緒に覆うカバー部と、
口部を閉じた状態のカバー部をバッグ本体に留めたり外したりする留め具と、
を備えたことを特徴とするロープバッグ。
【請求項３】
ロープを出し入れする口部を巾着型としたこと、
を特徴とする請求項１または２記載のロープバッグ。
【請求項４】
口部またはカバー部の内、ロープとの摺接面を低摩擦面としたこと、
を特徴とする請求項１乃至３の内のいずれか一項記載のロープバッグ。
【請求項５】
バッグ本体の外側面に各種機材を着脱自在な機材取り付け部を設けたこと、
を特徴とする請求項１乃至４の内のいずれか一項記載のロープバッグ。
【考案の詳細な説明】
【技術分野】
【０００１】
本考案はロープバッグに係り、とくに橋梁、ビル等の建築物の点検、保守等の作業をロープアクセス技術により行う場合に用いて好適なロープバッグに関する。
【背景技術】
【０００２】
現在、老朽化した橋梁が全国に多数存在し、自治体にとって橋梁の点検、保守は最重要課題となっている。建築物の点検、保守は建築物の周りに仮設足場を組んで行のが一般的であるが、橋梁の如く対象が高所にある場合、仮設足場を組むのが困難である。このため、従来から特別仕様の橋梁点検車両を用いていたが、非常に高価でコストが掛かり、片側通行や通行止めなどの規制もしなければない（特許文献１参照）。
近年、ロープとフルボディハーネス安全帯を使用して低コストで安全・迅速に高所の保守、点検作業を行うロープアクセス技術が注目されている（特許文献２参照）。これは、ロープを使って高所の作業現場に辿り着く技術であり、大掛かりな重機や仮設足場を不要とし、かつ作業対象に近接して点検、保守ができる画期的なものである。
【０００３】
橋梁下部の桁構造の点検、保守を行う場合、ロープを上下に垂らした状態で桁構造の鉄骨交差箇所をトラバース（横移動）しようとすると、ロープが鉄骨に引っかかってロープを損傷したり移動不能となったりする。特許文献３に示すロープバッグを腰にぶら下げてロープの下半部を収納しておくことが考えられるが、やはり鉄骨交差箇所に引っかかって移動困難となる。また、体重を支える主ロープと主ロープの切断時に体重を支えて安全を確保する補助ロープの２本を使用する場合、ロープバッグの中で絡まって取り出せなくなる問題もある。
【先行技術文献】
【特許文献】
【０００４】
【特許文献１】特公平０７−１１６６８８号公報の第１０図
【特許文献２】特開２００４−５７２３３号公報
【特許文献３】実用新案登録第３０９９５２４号公報
【考案の概要】
【考案が解決しようとする課題】
【０００５】
本考案は上記した従来技術の問題に鑑みなされたもので、移動の妨げになり難く、かつ二本のロープを収容しても絡まらないロープバッグを提供することを、その目的とする。
【課題を解決するための手段】
【０００６】
請求項１記載の考案では、内部に横に２区画に分離した２つのロープ収納部を有する背負いベルト付きのバッグ本体と、
バッグ本体の底面側に設けられて前記２つの区画の各々から個別にロープを出し入れ可能な２つの口部と、
２つの口部を開閉自在に個別または一緒に覆うカバー部と、
口部を閉じた状態のカバー部をバッグ本体に留めたり外したりする留め具と、
を備えたことを特徴としている。
請求項２記載の考案では、背負いベルト付きのバッグ本体と、
バッグ本体の内部を全体が１区画の１つのロープ収納部の状態と、横に２区画に分離した２つのロープ収納部の状態とに変更可能とする区画変更部と、
バッグ本体の底面側に設けられて前記２区画の状態のときの各区画から個別にロープを出し入れ可能な２つの口部と、
２つの口部を開閉自在に個別または一緒に覆うカバー部と、
口部を閉じた状態のカバー部をバッグ本体に留めたり外したりする留め具と、
を備えたことを特徴としている。
請求項３記載の考案では、
ロープを出し入れする口部を巾着型としたこと、
を特徴としている。
請求項４記載の考案では、口部またはカバー部の内、ロープとの摺接面を低摩擦面としたこと、
を特徴としている。
請求項５記載の考案では、バッグ本体の外側面に各種機材を着脱自在な機材取り付け部を設けたこと、
を特徴としている。
【考案の効果】
【０００７】
本考案によれば、ロープバッグが背負い式なので、移動時に鉄骨交差部分などにぶつかり難くなる。また、内部に横に２区画に分離した２つのロープ収納部を備えたり、バッグ本体の内部を全体が１区画の１つのロープ収納部の状態と、横に２区画に分離した２つのロープ収納部の状態とに変更可能とし、バッグ本体の底面側に２区画の各々から個別にロープを取り出し可能な口部を設けたので、バッグ本体に収納した２本のロープを絡まりなく取り出すことができる。
また、他の考案によれば、口部をカバー部で開閉自在に覆い、口部を閉じた状態のカバー部を留め具でバッグ本体に留めることで、バッグ本体に収納したロープが外部に落下するのを確実に防止できる。
また、更に他の考案によれば、口部を開閉の容易な巾着型としたので、バッグ本体内へのロープの装てんを簡便に行える。
また、他の考案によれば、口部またはカバー部の内、ロープとの摺接面を低摩擦面としたので、ロープの引き出しを円滑に行える。
また、他の考案によれば、バッグ本体の外側面に下降器、登高器などの各種機材を着脱自在な機材取り付け部を設けたので、多数の機材の持ち運びが容易となる。
【図面の簡単な説明】
【０００８】
【図１】本考案の一実施例に係る背負い式のロープバックを正面側の斜め上から見下ろした斜視図である（実施例１）。
【図２】図１のロープバッグを背当て面側の斜め下方から見上げた斜視図である。
【図３】図２のロープバッグのカバー部を省略して示す斜視図である。
【図４】図１のロープバッグ下部の一部省略した断面図である。
【考案を実施するための最良の形態】
【０００９】
以下、本考案の最良の形態を実施例に基づき説明する。
【実施例１】
【００１０】
図１乃至図４を参照して本考案の一実施例を説明する。図１は本考案に係る背負い式のロープバックを正面側の斜め上方から見下ろした斜視図、図２は図１のロープバックを背当て面側の斜め下方から見上げた斜視図、図３は図２のロープバックのカバー部を省略して示す斜視図、図４は図１のロープバッグ下部の一部省略した断面図である。
これらの図において、１は背負い式のロープバッグ、２はバッグ本体であり、上面が閉塞された２つの布製の筒状体３、４を側面で接するように左右に並べて、上下方向に沿って上端から下端近くまで縫い合わせることにより形成されている。バッグ本体１は各筒状体３、４の内部が独立した区画に分離しており、各々、ロープ５０、６０を一本ずつ収納可能なロープ収納部５、６を形成している。各筒状体３、４の下端より少し上に、筒状体３、４の開口７、８を閉塞するようにして２つの区画の各々から個別にロープ５０、６０を出し入れ可能とする布製で略円盤状の口部９、１０が装着されている。口部９、１０は巾着型であり、巾着紐１１、１２に装着した留め具１３、１４の留め位置を変えることで、開け口１５、１６を任意に広げたり、窄めたりすることができる。口部９、１０はロープ５０、６０との摩擦が小さい素材で形成されており、口部９、１０とロープ５０、６０との摺接面が滑り易い低摩擦面となっている。
【００１１】
円筒体３、４の下端部の背当て面２７の側には口部９、１０を個別に開閉自在に覆う布製で片開き式のカバー部１７、１８の一端縁側が装着されている。カバー部１７、１８の自由端縁側には、口部９、１０を閉じた状態でバッグ本体２の外面に着脱自在に留めるための留め具１９、２０が装備されている。この留め具１９、２０は、バッグ本体２の外面に装着された固定側ベルト２１、２２と、固定側ベルト２１、２２の先端に装着された連結金具（美錠）２３、２４と、カバー部１７、１８の自由端縁側に装着されたベルト２５、２６とからなり、ベルト２５、２６を連結金具２３、２４に着脱自在に連結可能になっている。カバー部１７、１８により、バッグ本体２に収納したロープ５０、６０が外部に落下するのを確実に防止できる。カバー部１７、１８は、ロープ５０、６０との摺接面が滑り易い低摩擦面に形成されている。
【００１２】
バッグ本体１の背当て面２７の側には、左右一対で２組の第１の肩掛けベルト３１、３２と、第２の肩掛けベルト４１、４２が装着されている。第１の肩掛けベルト３１、３２は背当て面２７の最上部中央寄りから左右側部の上下方向に見た中央付近の間に掛け渡されており、肩パッド付の上側ベルト３３、３４と下側ベルト３５、３６が連結金具（コキ）３７、３８により着脱自在に連結されている。第２の肩掛けベルト４１、４２は背当て面２３の最上部左右端部から最下部左右端部の間に掛け渡されており、上側ベルト４３、４４と下側ベルト４５、４６が連結金具４７、４８により着脱自在に連結されている。
バッグ本体１の背当て面２７の下部には左右一対の取っ手２８、２９が装着されている。
【００１３】
次に上記した実施例の使用方法を説明する。
ロープアクセス技術により例えば橋梁下部の桁構造の点検、保守等の作業をしたい場合、作業者は予めフルボディハーネス安全帯（図示せず）を装着しておく。橋梁上でロープバッグ１の口部９、１０を開けて２つのロープ収納部５、６の各々に主ロープ５０と補助ロープ６０の２本のロープを収納し、主ロープ５０、補助ロープ６０の一端部分を外に出した状態で口部９、１０を閉じ、更にカバー部１７、１８で口部９、１０を覆い、カバー部１７、１８のベルト２５、２６をバッグ本体２の側の連結金具２３、２４に連結して留める。
そして、第１の肩掛けベルト３１、３２と第２の肩掛けベルト４１、４２により口部９、１０が下側になるようにしてロープバッグ１を背負う。そして、主ロープ５０、補助ロープ６０の一端部分を欄干等に固定し、支点を確保したのち、主ロープ５０、補助ロープ６０を下降器を介してフルボディハーネス安全帯のＤ環に連結する。バッグ本体２の中の主ロープ５０、補助ロープ６０の自重により、口部９、１０は漏斗状に変形する（図４参照）。作業者は主ロープ５０に吊持された状態でロープバッグ１の下部から主ロープ５０、補助ロープ６０を左右横方向に少しずつ引き出しながら橋梁下部へ下りて行き、更に鉄骨骨組の中に横移動し、点検、保守作業を行なう。
【００１４】
この実施例によれば、ロープバッグ１が背負い式なので、鉄骨交差部分を横移動する際でも、腰に吊り下げるタイプに比してロープバッグ１がぶつかり難くなり、円滑に移動できる。
また、２本の主ロープ５０、補助ロープ６０をバッグ本体２の底面側から取り出すので、左右横に引き出すことができ、口部９、１０の開け口１５、１６との摩擦が少なくなって円滑に取り出すことができる。この点、通常のバッグの如く上面側から取り出すこととすると、ロープが首近くで急角度で曲がるため、開き口との摩擦が大きくなって取り出し難くなってしまう。
また、主ロープ５０、補助ロープ６０が横に２区画に分かれた２つのロープ収納部５、６に個別に収納されるとともに、底面側に口部９、１０が個別に設けられているので、２本の主ロープ５０、補助ロープ６０を絡まりなく取り出すことができる。
また、口部９、１０をカバー部１７、１８により開閉自在に覆い、口部９、１０を閉じたカバー部１７、１８を留め具１９、２０でバッグ本体２に留めることで、バッグ本体２に収納したロープ５０、６０が外部に落下するのを確実に防止できる。
また、口部９、１０を巾着型としたので、ロープ収納部５、６への主ロープ５０、補助ロープ６０の装てんを簡便に行える。
また、口部９、１０、カバー部１７、１８と、主ロープ５０、補助ロープ６０との摺接面を低摩擦面としたので、主ロープ５０、補助ロープ６０の引き出しを円滑に行える。
【００１５】
なお、上記した実施例では口部を下向きにして背負う場合を例に挙げて説明したが、第１肩掛けベルト、第２の肩掛けベルトを用いて、口部を上向きにして背負うこともできる。
また、バッグ本体の左右の外側面に下降器、登高器などの各種機材を着脱自在なギヤループ（カラビナチェーン）の如く機材取り付け部を設けるようにすれば、多数の機材の持ち運びが容易となる。
また、左右の肩掛けベルトの間に、胸の前で着脱自在に連結可能なバックル付きベルトを付加しても良い。
また、バッグ本体を一つの袋状に形成するとともに、内部に区画変更部としてのチャック（ファスナー）を装備し、チャックを開けて全体を１区画の１つのロープ収納部としたり、チャックを閉めて左右２つの区画に分離し、２つのロープ収納部に２分したりできるようにしても良い。
また、２つのカバー部により各口部を個別に覆うようにしたが、２つのカバー部を一体にした１つのカバー部により２つの口部を一緒に覆うようにしても良い。
【産業上の利用可能性】
【００１６】
本考案は、ロープアクセス技術による高所作業のほか、レスキュー、登山等に用いるロープバッグに適用可能である。
【符号の説明】
【００１７】
１  ロープバッグ
２  バッグ本体
３、４  筒状体
５、６  ロープ収納部
９、１０  口部
１７、１８  カバー部
１９、２０  留め具
３１、３２  第１の肩掛けベルト
４１、４２  第２の肩掛けベルト
５０  主ロープ
６０  補助ロープ
【図１】
0003197291.tif 000003
【図２】
0003197291.tif 000004
【図３】
0003197291.tif 000005
【図４】
0003197291.tif 000006